(57)【要約】【課題】１つの単位セルに含まれる第１のゲート電極と第２のゲート電極との間の配線抵抗の差が小さく、スイッチングロスを低減した双方向スイッチを実現できるようにする。【解決手段】双方向スイッチは、第１のオーミック電極１５、第１のゲート電極１７、第２のゲート電極１８及び第２のオーミック電極１６を有する複数の単位セル１１を備えている。第１のゲート電極１５は、第１の引き出し配線３１を介して第１のゲート電極パッド４３と電気的に接続されている。第２のゲート電極１８は、第２の引き出し配線３２を介して第２のゲート電極パッド４４と電気的に接続されている。第１のゲート電極パッド４３との間の配線距離が最も短い第１のゲート電極１７を有する単位セル１１は、第２のゲート電極パッド４４との間の配線距離が最も短い第２のゲート電極１８を有する。【選択図】図１
2010103158.tif 000002
【特許請求の範囲】
【請求項１】
基板の上に形成された半導体層並びに該半導体層の上に互いに間隔をおいて順次形成された第１のオーミック電極、第１のゲート電極、第２のゲート電極及び第２のオーミック電極を有する複数の単位セルと、
前記半導体層の上に形成され、前記第１のゲート電極同士を電気的に接続して前記第１のゲート電極と交差する方向に延びる第１の引き出し配線と、
前記単位セルを挟んで第１の引き出し配線と反対側に形成され、前記第２のゲート電極同士を接続して前記第２のゲート電極と交差する方向に延びる第２の引き出し配線と、
前記第１の引き出し配線と電気的に接続された第１のゲート電極パッドと、
前記第２の引き出し配線と電気的に接続された第２のゲート電極パッドとを備え、
前記複数の単位セルのうちの、前記第１のゲート電極パッドとの間の配線距離が最も短い第１のゲート電極を有する単位セルは、前記第２のゲート電極パッドとの間の配線距離が最も短い第２のゲート電極を有することを特徴とする双方向スイッチ。
【請求項２】
前記第１のゲート電極パッドは、前記第１の引き出し配線における一方の端部に形成され、
前記第２のゲート電極パッドは、前記第２の引き出し配線における前記第１のゲート電極パッドと同じ側の端部に形成されていることを特徴とする請求項１に記載の双方向スイッチ。
【請求項３】
前記第１のゲート電極パッドが形成された側から数えてｎ番目の単位セルとｎ＋１番目の単位セルとにおける前記第１のゲート電極及び第２のゲート電極の配線距離の間には、以下の式（１）に示す関係が成り立つことを特徴とする請求項２に記載の双方向スイッチ。
｜（ＬG1(n+1)−ＬG1(n)）−(ＬG2(n+1)−ＬG2(n)）｜ ＝ ２ＬG1G2  ・・・  （１）
但し、ｎは自然数であり、ＬG1(n)はｎ番目の前記単位セルに含まれる前記第１のゲート電極と前記第１のゲート電極パッドとの配線距離であり、前記ＬG1(n+1)はｎ＋１番目の前記単位セルに含まれる前記第１のゲート電極と前記第１のゲート電極パッドとの配線距離であり、ＬG2(n)はｎ番目の前記単位セルに含まれる前記第２のゲート電極と前記第２のゲート電極パッドとの配線距離であり、ＬG2(n+1)はｎ＋１番目の前記単位セルに含まれる前記第２のゲート電極と前記第２のゲート電極パッドとの配線距離であり、ＬG1G2は前記第１のゲート電極と前記第２のゲート電極との間隔である。
【請求項４】
複数の前記単位セルのそれぞれにおいて、前記第１のゲート電極と前記第１のゲート電極パッドとの間の配線距離と、前記第２のゲート電極と前記第２のゲート電極パッドとの間の配線距離とは等しいことを特徴とする請求項１に記載の双方向スイッチ。
【請求項５】
前記第１のゲート電極パッド及び第２のゲート電極パッドは、前記半導体基板における前記第１の引き出し配線及び第２の引き出し配線が延びる方向の中心線に対して対称となるように形成されていることを特徴とする請求項１〜４のいずれか１項に記載の双方向スイッチ。
【請求項６】
前記第１のゲート電極パッド及び第２のゲート電極パッドは、前記半導体基板の中心点に対して対称となるように形成されていることを特徴とする請求項４に記載の双方向スイッチ。
【請求項７】
前記第１のゲート電極パッド及び第２のゲート電極パッドは、それぞれ前記第１の引き出し配線及び第２の引き出し配線と一体に形成されていることを特徴とする請求項１〜６のいずれか１項に記載の双方向スイッチ。
【請求項８】
前記第１のオーミック電極と電気的に接続された第１のオーミック電極パッドと、
前記第２のオーミック電極と電気的に接続された第２のオーミック電極パッドとをさらに備え、
前記半導体層は、活性領域と該活性領域を囲む高抵抗領域とを有し、
前記第１のオーミック電極パッド及び第２のオーミック電極パッドの少なくとも一部は、前記活性領域の上に形成されていることを特徴とする請求項１〜６のいずれか１項に記載の双方向スイッチ。
【請求項９】
前記第１のゲート電極パッド及び第２のゲート電極パッドの少なくとも一部は、前記活性領域の上に形成されていることを特徴とする請求項８に記載の双方向スイッチ。
【請求項１０】
前記第１のオーミック電極と電気的に接続された第１のオーミック電極パッドと、
前記第２のオーミック電極と電気的に接続された第２のオーミック電極パッドとをさらに備え、
前記第２のオーミック電極パッドは、前記半導体層の上に形成され、
前記第１のオーミック電極パッドは、前記半導体基板の前記半導体層が形成された面とは反対側の面の上に形成されていることを特徴とする請求項１〜６のいずれか１項に記載の双方向スイッチ。
【請求項１１】
前記半導体層は、前記基板側から順次形成された第１の窒化物半導体層及び該第１の窒化物半導体層と比べてバンドギャップが大きい第２の窒化物半導体層とを有していることを特徴とする請求項１〜１０のいずれか１項に記載の双方向スイッチ。
【発明の詳細な説明】
【技術分野】
【０００１】
本発明は双方向スイッチに関し、特にワイドバンドギャップ半導体を用いたダブルゲート構造の双方向スイッチに関する。
【背景技術】
【０００２】
近年、半導体デバイスの材料として、窒化ガリウム（ＧａＮ）に代表される窒化物系半導体や、炭化珪素（ＳｉＣ）といったワイドバンドギャップ半導体の研究開発が活発に行われている。ワイドバンドギャップ半導体は、絶縁破壊電界がシリコン（Ｓｉ）半導体と比べて１桁大きいという特徴を有する。従来のＳｉ半導体では高耐圧の電力用半導体デバイスを得るには、電子が走行するドリフト層を長くすることが必要である。しかし、窒化物系半導体又はＳｉＣを用いた場合には、Ｓｉ半導体と同等の耐圧をＳｉ半導体と比べて約１０分の１の長さのドリフト層によって実現できる。ドリフト層は半導体デバイスに電流を流す場合に抵抗層となる。従って、絶縁破壊電界が大きくドリフト層を短くできるワイドバンドギャップ半導体を用いることにより、半導体デバイスのオン抵抗を小さくできる。一定の耐圧を示す半導体デバイスのオン抵抗は、半導体材料が有する移動度及び誘電率が同程度である場合には絶縁破壊電界の３乗に反比例する。
【０００３】
また、ＧａＮ等の窒化物半導体はアルミニウムナイトライド（ＡｌＮ）又はインジウムナイトライド（ＩｎＮ）等と様々な混晶を作ることができる。このため、従来のガリウム砒素（ＧａＡｓ）等の砒素系半導体材料と同様にヘテロ接合を作ることができる。特に、窒化物半導体のヘテロ接合は、不純物のドーピングがない状態においても、その界面に自発分極又はピエゾ分極により高濃度のキャリアが発生する。この結果、窒化物半導体においては、電流を基板に平行方向に流す横型デバイスにおいて、大電流で低いオン抵抗の大電力用デバイスが実現できる。
【０００４】
さらに、横型デバイスにおいて、第１のオーミック電極と第２のオーミック電極との間に、第１のゲート電極と第２のゲート電極とを配置するダブルゲート構造とすることにより、双方向に電流を流し、双方向に耐圧を有する双方向スイッチを実現できる。
【０００５】
マトリックスコンバータ又はプラズマディスプレイパネル（ＰＤＰ）の駆動回路等に用いる双方向スイッチは、一般的に逆阻止型の絶縁ゲートバイポーラトランジスタ（ＩＧＢＴ）を用いて開発されている。しかし、逆阻止型のＩＧＢＴを双方向スイッチに用いる場合、逆並列に２個用いる必要がある。また、ＩＧＢＴは本質的にＰＮ接合のオン電圧を有するため、電流が小さい領域ではオン抵抗が大きくなり、スイッチング時に電力ロスが大きくなる。
【０００６】
ダブルゲート構造の双方向スイッチは、図１１（ａ）に示すように第１のゲート電極Ｇ１及び第２のゲート電極Ｇ２に同時にバイアス電圧を印加すると、第１のオーミック電極Ｓ１と第２のオーミック電極Ｓ２との間に立ち上がり電圧なしに双方向に電流を流すことができる。また、図１１（ｂ）に示すように一方のゲート電極のみにバイアス電圧を印加すると、一方向のみに電流が流れる整流動作をする。このため、１チップでスイッチング時の電力ロスが非常に小さい双方向スイッチを実現できる（例えば、非特許文献１を参照。）。
【０００７】
ダブルゲート構造の双方向スイッチにおいて大電流を流すには、ゲート幅を大きくする必要がある。ゲート幅を大きくする方法として、第１のオーミック電極と第２のオーミック電極との間に第１のゲート電極及び第２のゲート電極が配置された単位セルを並列に複数配置したチップレイアウトが検討されている（例えば、特許文献１を参照。）。これにより、限られた面積を有効に用い、ゲート幅を容易に大きくすることができる。
【特許文献１】特表２００７−５２６６３３号公報
【非特許文献１】T. Morita, et al., “650V 3.1mΩcm2 GaN-based Monolithic Bidirectional Switch Using Normally-off Gate Injection Transistor”, International Electron Devices Meeting, 2007, p. 865
【発明の開示】
【発明が解決しようとする課題】
【０００８】
しかしながら、前記従来の双方向スイッチのレイアウトには以下のような問題があることが明らかとなった。
【０００９】
従来の双方向スイッチにおいては、第１のオーミック電極同士、第２のオーミック電極同士、第１のゲート電極同士及び第２のゲート電極同士が、それぞれ引き出し配線を介して接続されパッドと接続される。この際に、第１のゲート電極と接続された第１のゲート電極パッドと第２のゲート電極と接続された第２のゲート電極パッドとは、双方向スイッチの中心に対して対角の位置に配置される。このような、配置とすることにより、４つのパッドを効率よく配置することができる。
【００１０】
しかし、このような配置とすると、各単位セルにおいて第１のゲート電極と第１のゲート電極パッドとの間の配線距離と、第２のゲート電極と第２のゲート電極パッドとの間の配線距離との差が大きく異なるという問題が生じる。大電力用の双方向スイッチは、一般にチップ面積が数ｍｍ角である。第１のゲート電極と第１のゲート電極パッドとの間の配線距離と、第２のゲート電極と第２のゲート電極パッドとの間の配線距離との差は最大で３ｍｍ程度となる。配線距離の差が大きくなるとゲート抵抗の差も大きくなる。
【００１１】
第１のゲート電極、第２のゲート電極及びこれらと接続された引き出し配線は、一般にリフトオフ法を用いて同一工程により形成する。リフトオフ法においては厚い金属膜を形成することが困難である。このため、第１のゲート電極、第２のゲート電極及びこれらと接続された引き出し配線の膜厚は通常０．５μｍ程度である。金属膜の比抵抗が２×１０-6Ωｃｍ程度であり、配線幅は５０μｍ程度である場合には、配線距離の差が３ｍｍあるとゲート抵抗の差は２．４Ωとなる。
【００１２】
双方向スイッチの第１のオーミック電極と第２のオーミック電極との間に双方向に電流を流す場合、第１のゲート電極と第２のゲート電極との両方にバイアス電圧を印加し、第１のゲートと第２のゲートとを同時にオン状態とする必要がある。ゲート抵抗の差が大きい単位セルにおいては、第１のゲート電極パッドと第２のゲート電極パッドとに同時にバイアス電圧を印加しても、ゲート抵抗が小さい方のゲートが先にオン状態となり、ゲート抵抗が大きい方のゲートが遅れてオン状態となる。つまり、第１のゲート電極と第２のゲート電極とのターンオンに要する時間に遅延が発生する。ターンオンの遅延が生じると、その間単位セルは第１のオーミック電極と第２のオーミック電極との間に一方向にのみ電流が流れる整流動作をする。整流動作の場合には電圧オフセットが発生するため、スイッチングロスが大きくなる。また、第１のオーミック電極と第２のオーミック電極との間を遮断する場合には、遅延時間の間に電流が流れてしまいスイッチングロスが大きくなる。このように、スイッチングロスが大きな単位セルが存在すると、単位セルの総和である双方向スイッチのスイッチングロスも悪くなる。この問題はスイッチング周波数が高くなるにつれ顕著になり、見積もりによれば１０ＫＨｚを超えると、顕在化してくる。
【００１３】
本発明は前記の問題を解決し、１つの単位セルに含まれる第１のゲート電極と第２のゲート電極との間の配線抵抗の差が小さく、スイッチングロスを低減した双方向スイッチを実現できるようにすることを目的とする。
【課題を解決するための手段】
【００１４】
前記の目的を達成するため、本発明は双方向スイッチを、第１のゲート電極の配線抵抗と、第２のゲート電極の配線抵抗とがほぼ等しくなるように第１のゲート電極パッド及び第２のゲート電極パッドを配置した構成とする。
【００１５】
具体的に、本発明に係る双方向スイッチは、基板の上に形成された半導体層並びに該半導体層の上に互いに間隔をおいて順次形成された第１のオーミック電極、第１のゲート電極、第２のゲート電極及び第２のオーミック電極を有する複数の単位セルと、半導体層の上に形成され、第１のゲート電極同士を電気的に接続して第１のゲート電極と交差する方向に延びる第１の引き出し配線と、単位セルを挟んで第１の引き出し配線と反対側に形成され、第２のゲート電極同士を接続して第２のゲート電極と交差する方向に延びる第２の引き出し配線と、第１の引き出し配線と電気的に接続された第１のゲート電極パッドと、第２の引き出し配線と電気的に接続された第２のゲート電極パッドとを備え、複数の単位セルのうちの、第１のゲート電極パッドとの間の配線距離が最も短い第１のゲート電極を有する単位セルは、第２のゲート電極パッドとの間の配線距離が最も短い第２のゲート電極を有することを特徴とする。
【００１６】
本発明の双方向スイッチは、第１のゲート電極パッドとの間の配線距離が最も短い第１のゲート電極を有する単位セルは、第２のゲート電極パッドとの間の配線距離が最も短い第２のゲート電極を有する。このため、第１のゲート電極と第１のゲート電極パッドとの間の配線距離と、第２のゲート電極と第２のゲート電極パッドとの間の配線距離との差が大きい単位セルが生じることがない。従って、単位セル内において、第１のゲート電極の配線抵抗と第２のゲート電極の配線抵抗とをほぼ等しくすることができ、配線抵抗の差による遅延時間が生じにくくなる。その結果、スイッチングロスが小さい双方向スイッチを実現できる。
【００１７】
本発明の双方向スイッチにおいて、第１のゲート電極パッドは、第１の引き出し配線における一方の端部に形成され、第２のゲート電極パッドは、第２の引き出し配線における第１のゲート電極パッドと同じ側の端部に形成されている構成としてもよい。
【００１８】
この場合において、第１のゲート電極パッドが形成された側から数えてｎ番目の単位セルとｎ＋１番目の単位セルとにおける第１のゲート電極及び第２のゲート電極の配線距離の間には、｜（ＬG1(n+1)−ＬG1(n)）−(ＬG2(n+1)−ＬG2(n)）｜＝２ＬG1G2の関係が成り立つ構成としてもよい。但し、ｎは自然数であり、ＬG1(n)はｎ番目の単位セルに含まれる第１のゲート電極と第１のゲート電極パッドとの配線距離であり、ＬG1(n+1)はｎ＋１番目の単位セルに含まれる第１のゲート電極と第１のゲート電極パッドとの配線距離であり、ＬG2(n)はｎ番目の単位セルに含まれる第２のゲート電極と第２のゲート電極パッドとの配線距離であり、ＬG2(n+1)はｎ＋１番目の単位セルに含まれる第２のゲート電極と第２のゲート電極パッドとの配線距離であり、ＬG1G2は第１のゲート電極と第２のゲート電極との間隔である。
【００１９】
本発明の双方向スイッチにおいて、複数の単位セルのそれぞれにおいて、第１のゲート電極と第１のゲート電極パッドとの間の配線距離と、第２のゲート電極と第２のゲート電極パッドとの間の配線距離とが等しい構成としてもよい。
【００２０】
本発明の双方向スイッチにおいて、第１のゲート電極パッド及び第２のゲート電極パッドは、半導体基板における第１の引き出し配線及び第２の引き出し配線が延びる方向の中心線に対して対称となるように形成されていてもよい。
【００２１】
本発明の双方向スイッチにおいて、第１のゲート電極パッド及び第２のゲート電極パッドは、半導体基板の中心点に対して対称となるように形成されていてもよい。
【００２２】
本発明の双方向スイッチにおいて、第１のゲート電極パッド及び第２のゲート電極パッドは、第１の引き出し配線及び第２の引き出し配線と一体に形成されている構成としてもよい。
【００２３】
本発明の双方向スイッチは、第１のオーミック電極と電気的に接続された第１のオーミック電極パッドと、第２のオーミック電極と電気的に接続された第２のオーミック電極パッドとをさらに備え、半導体層は、活性領域と該活性領域を囲む高抵抗領域とを有し、第１のオーミック電極パッド及び第２のオーミック電極パッドの少なくとも一部は、活性領域の上に形成されていてもよい。
【００２４】
この場合において、第１のゲート電極パッド及び第２のゲート電極パッドの少なくとも一部は、活性領域の上に形成されていてもよい。
【００２５】
本発明の双方向スイッチは、第１のオーミック電極と電気的に接続された第１のオーミック電極パッドと、第２のオーミック電極と電気的に接続された第２のオーミック電極パッドとをさらに備え、第２のオーミック電極パッドは、半導体層の上に形成され、第１のオーミック電極パッドは、半導体基板の半導体層が形成された面とは反対側の面の上に形成されていてもよい。
【００２６】
本発明の双方向スイッチにおいて、導体層は、基板側から順次形成された第１の窒化物半導体層及び該第１の窒化物半導体層と比べてバンドギャップが大きい第２の窒化物半導体層とを有していてもよい。
【発明の効果】
【００２７】
本発明に係る双方向スイッチによれば、１つの単位セルに含まれる第１のゲート電極と第２のゲート電極との間の配線抵抗の差が小さく、スイッチングロスを低減した双方向スイッチを実現できるようにする。
【発明を実施するための最良の形態】
【００２８】
(第１の実施形態)
本発明の第１の実施形態について図面を参照して説明する。図１（ａ）〜（ｂ）は第１の実施形態に係る双方向スイッチであり、（ａ）は平面構成を示し、（ｂ）は（ａ）のＩｂ−Ｉｂ線における断面構成を示している。
【００２９】
図１に示すように本実施形態の双方向スイッチは、窒化物半導体の上に第１のオーミック電極１５、第２のオーミック電極、第１のゲート電極１７及び第２のゲート電極１８が形成されたダブルゲート構造の双方向スイッチである。また、ゲート幅を大きくするために、第１のオーミック電極１５、第２のオーミック電極１６、第１のゲート電極１７及び第２のゲート電極１８を有する複数の単位セル１１が並列に接続されている。
【００３０】
シリコン基板等の基板２１の上に、窒化物半導体からなる半導体層２２が形成されている。半導体層２２は、基板２１側から順次形成されたバッファ層２３、ｉ−ＧａＮからなるチャネル層２４及びｉ−ＡｌＧａＮからなるバリア層２５を有している。チャネル層２４とバリア層２５との界面近傍に２次元電子ガスからなるチャネルが形成できれば、チャネル層２４及びバリア層２５の組成は任意に変更してかまわない。
【００３１】
半導体層２２は、活性領域２２Ａと活性領域２２Ａを囲む高抵抗領域２２Ｂとを有している。高抵抗領域２２Ｂはイオン注入等により高抵抗化された領域である。活性領域２２Ａの上には、互いに間隔をおいてフィンガー状の第１のオーミック電極１５と第２のオーミック電極１６とが交互に形成されている。第１のオーミック電極１５と第２のオーミック電極１６との間には、互いに間隔をおいて第１のゲート電極１７と第２のゲート電極１８とが形成されている。
【００３２】
第１のオーミック電極１５、第２のオーミック電極１６、第１のゲート電極１７及び第２のゲート電極１８により単位セル１１が形成されている。隣接する単位セル１１は第１のオーミック電極１５又は第２のオーミック電極１６を共有している。つまり、単位セル１１は交互に反転して配置されている。
【００３３】
第１のゲート電極１７及び第２のゲート電極１８は、それぞれ高抵抗領域２２Ｂの上に形成された第１の引き出し配線３１及び第２の引き出し配線３２と接続されている。第１の引き出し配線３１は、第１のゲート電極１７同士を電気的に接続して第１のゲート電極１７と交差する方向に延びている。第２の引き出し配線３２は、第２のゲート電極同士を電気的に接続して第２のゲート電極１８と交差する方向に延びている。第１の引き出し配線３１と第２の引き出し配線３２とは、単位セル１１を挟んで互いに反対側に形成されている。
【００３４】
第１のゲート電極１７、第２のゲート電極１８、第１の引き出し配線３１及び第２の引き出し配線３２は、例えば厚さが１００ｎｍのニッケル（Ｎｉ）と厚さが４００ｎｍの金（Ａｕ）との積層膜からなる。第１のゲート電極１７、第２のゲート電極１８、第１の引き出し配線３１及び第２の引き出し配線３２は、リフトオフ法を用いれば同時に形成できる。
【００３５】
半導体層２２の上には、第１のオーミック電極１５、第２のオーミック電極１６、第１のゲート電極１７及び第２のゲート電極１８を覆うように絶縁膜２７が形成されている。絶縁膜２７の上には、第１のオーミック電極パッド４１、第２のオーミック電極パッド４２、第１のゲート電極パッド４３及び第２のゲート電極パッド４４が形成されている。第１のオーミック電極パッド４１、第２のオーミック電極パッド４２、第１のゲート電極パッド４３及び第２のゲート電極パッド４４は、それぞれ高抵抗領域２２Ｂの上に形成されている。第１のオーミック電極パッド４１と第２のオーミック電極パッド４２は、活性領域２２Ａを挟んで互いに反対側の領域に形成されており、第１のゲート電極パッド４３と第２のゲート電極パッド４４は、活性領域２２Ａを挟んで互いに反対側の位置に形成されている。つまり、第１のゲート電極パッド４３と第２のゲート電極パッド４４とは、基板２１における各電極が延びる方向と交差する方向の中心線２０に対して対象な位置に形成されている。
【００３６】
第１のオーミック電極パッド４１は、絶縁膜２７の上に形成された第３の引き出し配線３６と接続されている。第３の引き出し配線３６は絶縁膜に形成された開口部において第１のオーミック電極１５と接続されている。第２のオーミック電極パッド４２は、絶縁膜２７の上に形成された第４の引き出し配線３８と接続されている。第３の引き出し配線３８は絶縁膜に形成された開口部において第２のオーミック電極１６と接続されている。
【００３７】
第１のオーミック電極パッド４１、第２のオーミック電極パッド４２、第３の引き出し配線３６及び第２の引き出し配線３８は、例えば厚さが１００ｎｍのチタン（Ｔｉ）と厚さが５００００ｎｍの金（Ａｕ）との積層膜とし、めっき工程等により同時に形成すればよい。
【００３８】
第１のゲート電極パッド４３は、第１の引き出し配線３１を露出する開口部に形成された接続部分３３により第１の引き出し配線３１と接続されている。第２のゲート電極パッド４４は、第２の引き出し配線３２を露出する開口部に形成された接続部分３４により第２の引き出し配線３２と接続されている。
【００３９】
第１のゲート電極パッド４３を例にとると、第１のゲート電極パッドと第１の引き出し配線３１とは図２に示すような配置となる。第１のゲート電極パッド４３は、通常は第１のオーミック電極パッド４１及び第２のオーミック電極パッド４２と材質及び膜厚等が等しい。このため、第１のゲート電極パッド４３の抵抗は、第１の引き出し配線３１と比べると遙かに小さく、遅延時間の発生において第１のゲート電極パッド４３は無視してかまわない。従って、第１のゲート電極１７の配線距離の起点は、図２に示す接続部分３３が第１の引き出し配線３１と接するエッジ部分３１ａとなる。第２のゲート電極１７の配線距離については同様に接続部分３４が第２の引き出し配線３２と接するエッジ部分が起点となる。
【００４０】
本実施形態の双方向スイッチは、第１のゲート電極パッド４３が第１の引き出し配線３１の一方の端部に形成されている。第２のゲート電極パッド４４は第２の引き出し配線３２における第１のゲート電極パッド４３と同じ側の端部に形成されている。このため、第１のゲート電極パッド４３までの配線距離が最も短い第１のゲート電極１７が含まれる単位セル１１に含まれる第２のゲート電極１８は、第２のゲート電極パッド４４までの配線距離が最も短くなる。
【００４１】
従来の双方向スイッチにおいては、パッドの占有面積を低減するために、第１のゲート電極パッドと第２のゲート電極パッドとが対角線の位置となるように配置される。このため、第２のゲート電極パッドは第２の引き出し配線の第１のゲート電極パッドと反対側の端部に形成される。このため、第１のゲート電極パッドまでの配線距離が最も短い第１のゲート電極が含まれる単位セルに含まれる第２のゲート電極は、第２のゲート電極パッドまでの配線距離が最も長くなる。また、第２のゲート電極パッドまでの配線距離が最も短い第２のゲート電極が含まれる単位セルに含まれる第１のゲート電極は、第１のゲート電極パッドまでの配線距離が最も長くなる。このため、第１のゲート電極の配線抵抗と第２のゲート電極の配線抵抗との差が大きくなり、第１のゲート電極と第２のゲート電極とのターンオンに要する時間差、つまり遅延時間が長い単位セルが生じてしまう。
【００４２】
しかし、第１の実施形態の双方向スイッチはいずれの単位セルにおいても、第１のゲート電極１７から第１のゲート電極パッド４３までの配線距離と、第２のゲート電極１８から第２のゲート電極パッド４４までの配線距離との差を小さくすることができる。従って、各単位セルにおいて第１のゲート電極の配線抵抗と第２のゲート電極１８の配線抵抗との差を小さくでき、第１のゲート電極と第２のゲート電極とのターンオンに要する時間差、つまり遅延時間を短くできる。その結果、スイッチング周波数が１０ＫＨｚを越える場合においても、スイッチングロスが問題となることがない双方向スイッチが実現できる。
【００４３】
図３に示すように、第１のゲート電極パッド４３からの配線距離が最も短い第１のゲート電極１７を有する第１の単位セル１１（１）における第１のゲート電極１７と第１のゲート電極パッド４３との配線距離をＬG1（１）とすると、第２のゲート電極１８と第２のゲート電極パッド４４との配線距離ＬG2（１）は、式（１）のように表すことができる。
【００４４】
ＬG2(１)＝ＬG1(１)＋Ｌ1−ＬG1G2  ・・・  式（１）
Ｌ1は、第１のゲート電極パッド４３の接続部分３３が第１の引き出し配線３１と接するエッジ部分と第２のゲート電極パッド４４の接続部分３４が第２の引き出し配線３２と接するエッジ部分との位置のずれ量つまり、第１のゲート電極１７の配線距離の起点と第２のゲート電極１８の配線距離の起点とのずれ量であり、ＬG1G2は第１のゲート電極１７と第２のゲート電極１８との間隔である。
【００４５】
第１のゲート電極パッド４３と第２のゲート電極パッド４４とを基板２１における中心線２０に対して対称となるように配置すれば、第１のゲート電極１７の配線距離の起点と第２のゲート電極１８の配線距離の起点とのずれ量Ｌ1はほぼ０にできる。従って、第１の単位セル１１における第１のゲート電極１７の配線距離と第２のゲート電極１８の配線距離との差は、第１のゲート電極１７と第２のゲート電極１８との間隔ＬG1G2とほぼ等しくすることができる。
【００４６】
単位セル１１は交互に反転して配置されている。このため、第２の単位セルにおいては、式（１）におけるＬG1G2の符号が反転する。しかし、この場合にも第１のゲート電極１７と第２のゲート電極１８との間隔ＬG1G2とほぼ等しくなる。また、第１のゲート電極１７の配線距離の起点と第２のゲート電極１８の配線距離の起点とのずれ量Ｌ１が完全に０の場合には、いずれの場合においても、第１の単位セル１１における第１のゲート電極１７の配線距離と第２のゲート電極１８の配線距離との差は、第１のゲート電極１７と第２のゲート電極１８との間隔ＬG1G2と一致する。
【００４７】
第１のゲート電極１７と第２のゲート電極１８との間隔ＬG1G2は１０μｍ程度である。この程度の差であれば、第１のゲート電極１７と第２のゲート電極１８とのゲート抵抗の差による遅延時間は非常に小さい。その結果、遅延時間による双方向スイッチのスイッチングロスを低減することができる。
【００４８】
ｎ番目の単位セル１１（ｎ）とｎ＋１番目の単位セル１１（ｎ＋１）とに着目すると、式（２）に示すような関係が成り立つ。
【００４９】
|(ＬG1(ｎ＋１)−ＬG1(ｎ))−(ＬG2(ｎ＋１)−ＬG2(ｎ))|＝２ＬG1G2  ・・・（２）
第２のゲート電極パッドが第２の引き出し配線における第１のゲート電極パッドと反対側に形成されている従来の双方向スイッチの場合には、このような関係は成り立たない。
【００５０】
第１のゲート電極パッド４３が第１の引き出し配線３１と接するエッジ部分と第２のゲート電極パッド４４が第２の引き出し配線３２と接するエッジ部分との位置のずれが小さい方が、単位セル１１間における第１のゲート電極１７の配線距離と第２のゲート電極１８の配線距離とのばらつきを小さくできる。しかし、配線の膜厚、幅、配線材料の比抵抗及び第１のゲート電極と第２のゲート電極との間隔等によって異なるが、２０μｍ程度又はそれ以上のずれがあっても問題ない。
【００５１】
図１は、第１のゲート電極パッド４３及び第２のゲート電極パッド４４を絶縁膜２７の上に形成する例を示した。しかし、図４に示すように第１のゲート電極パッド４３及び第２のゲート電極パッド４４を高抵抗領域２２Ｂの上に直接形成することも可能である。この場合には、第１のゲート電極パッド４３は第１の引き出し配線３１と一体となった導電膜４６として形成され、第２のゲート電極パッド４４は第２の引き出し配線３２と一体となった導電膜４７として形成される。つまり、第１のゲート電極パッド４３は導電膜４６の幅が広い部分であり、第１の引き出し配線３１は導電膜４６の幅が狭い部分である。同様に、第２のゲート電極パッド４４は導電膜４７の幅が広い部分であり、第２の引き出し配線３２は導電膜４７の幅が狭い部分である。なお、図４において、絶縁膜２７、第１のオーミック電極パッド４１、第２のオーミック電極パッド４２、第３の引き出し配線３６及び第４の引き出し配線３８は記載を省略している。
【００５２】
第１のゲート電極パッド４３及び第２のゲート電極パッド４４と、第１の引き出し配線３１及び第２の引き出し配線３２とは、材質及び膜厚が等しくなる。しかし、第１のゲート電極パッド４３及び第２のゲート電極パッド４４は、幅が第１の引き出し配線３１及び第２の引き出し配線３２よりも遙かに大きい。従って、第１のゲート電極パッド４３及び第２のゲート電極パッド４４の抵抗は第１の引き出し配線３１及び第２の引き出し配線３２と比べて無視できるくらい小さくなる。このため、第１のゲート電極１７の配線距離の起点は導電膜４６の幅が狭くなる第１のゲート電極パッド４３と第１の配線３１との境界部分４６ａであり、第２のゲート電極１８の配線距離の起点は導電膜４７の幅が狭くなる第２のゲート電極パッド４４と第２の配線３２との境界部分４７ａである。
【００５３】
なお、導電膜４６の第１のゲート電極パッド４３となる部分及び導電膜４７の第２のゲート電極パッド４４となる部分の上に、さらにボンディング用の金属膜を積層してもよい。この場合には、第１のゲート電極パッド４３及び第２のゲート電極パッド４４の抵抗はさらに小さくなる。
【００５４】
図１及び図４は、第１のオーミック電極パッド４１及び第２のオーミック電極パッド４２を高抵抗領域２２Ｂの上に形成する例を示した。しかし、図５に示すように少なくとも一部を活性領域２２Ａの上に形成してもよい。いわゆるパッドオンチップ構造とすることにより、双方向スイッチの占有面積を小さくすることが可能である。
【００５５】
この場合には、第１のオーミック電極１５と第１のオーミック電極パッド４１とを接続部３７により直接接続し、第２のオーミック電極１６と第２のオーミック電極パッド４２とを接続部３９により直接接続すればよい。この場合、第１のオーミック電極１５と第１のオーミック電極パッド４１との接続部分３７及び第２のオーミック電極１６と第５のオーミック電極パッド４２との接続部分３９の長さは、それぞれ第１のオーミック電極１５及び第２のオーミック電極１６の長さの半分以下程度とする。
【００５６】
また、図６に示すように第１のゲート電極パッド４３及び第２のゲート電極パッド４４についても少なくとも一部を活性領域２２Ａの上に形成してもよい。図６には、第１のゲート電極パッド４３及び第２のゲート電極パッド４４の面積の半分以上が活性領域２２Ａの上に形成されている例を示している。
【００５７】
さらに、図７に示すように、第１のオーミック電極パッドを基板２１の裏面に形成された裏面電極５１としてもよい。この場合、裏面電極５１と第１のオーミック電極とは半導体層２２及び基板２１を貫通するビアホールを介した配線金属５２により接続すればよい。このような構造とすれば、第１のオーミック電極をワイヤリングする必要がないため、組み立て工程を簡略化できる。
【００５８】
（第２の実施形態）
以下に、本発明の第２の実施形態について図面を参照して説明する。図８は第２の実施形態に係る双方向スイッチの平面構成を示している。図８において図１と同一の構成要素には同一の符号を附すことにより説明を省略する。
【００５９】
第２の実施形態の双方向スイッチは、図８に示すように第１のゲート電極パッド４３が第１の引き出し配線３１の全体を覆うように形成され、第２のゲート電極パッド４４が第２の引き出し配線３２の全体を覆うように形成されている。また、第１のゲート電極パッド４３は第１の引き出し配線３１のほぼ全体と接続されており、第２のゲート電極パッド４４は第２の引き出し配線３２のほぼ全体と接続されている。
【００６０】
これにより、単位セル１１間において第１のゲート電極１７と第１のゲート電極パッド４３との間の配線距離はほぼ等しくなる。また、第２のゲート電極１８と第２のゲート電極パッド４４との間の配線距離もほぼ等しくなる。さらに、第１の引き出し配線３１と活性領域２２Ａとの距離及び第２の引き出し配線３２と活性領域２２Ａとの距離を等しくすることにより、第１のゲート電極１７と第１のゲート電極パッド４４との間の配線距離と第２のゲート電極１８と第２のゲート電極パッド４４との間の配線距離とをほぼ等しくできる。
【００６１】
また、第１のゲート電極１７と第１のゲート電極パッド４３との間の配線に占める第１の引き出し配線３１の割合及び第２のゲート電極１８と第２のゲート電極パッド４４との間の配線に占める第２の引き出し配線３２の割合はほとんど無視できるほど小さくなる。
【００６２】
従って、第１のゲート電極１７と第１のゲート電極パッド４３との間の配線抵抗及び第２のゲート電極１８と第２のゲート電極パッド４４との間の配線抵抗は無視できる程度まで小さくできる。例えば、第１のゲート電極パッド４３及び第２のゲート電極パッド４４を厚さが１００ｎｍのＴｉ膜と厚さが５０００ｎｍのＡｕ膜との積層膜であり、比抵抗が２×１０-6ｃｍ程度であり、パッド幅が１００μｍであり、パッド長さが３ｍｍであるの場合には、配線抵抗は約０．１２Ωとなる。その結果、すべての単位セルにおいて第１のゲート電極１７と第２のゲート電極１８との間における信号の遅延時間の差を無視でき、双方向スイッチのロスを大きく低減できる。
【００６３】
第１のゲート電極パッド４３が第１の引き出し配線３１のほぼ全体と接続でき、第２のゲート電極パッド４４が第２の引き出し配線３２のほぼ全体と接続できれば、第１のゲート電極パッド４３及び第２のゲート電極パッド４４の形はどのように変形してもよい。例えば、図９に示すように、第１のゲート電極パッド４３及び第２のゲート電極パッド４４の一部がそれぞれ活性領域２２Ａの上に形成されていてもよい。このようにすれば、双方向スイッチのチップ面積を大きくすることなく、第１のゲート電極パッド４３及び第２のゲート電極パッド４４の面積を大きくすることができる。また、第１のゲート電極パッド４３、第２のゲート電極パッド４４、第１のオーミック電極パッド４１及び第２のオーミック電極パッド４２が相互に入り組んだ構造とすることにより、すべての電極パッドに太いワイヤを接続するための領域を確保することができる。これにより、大きな電流を流すことが可能となる。
【００６４】
さらに、図１０に示すように第１のオーミック電極パッドを基板２１の裏面に形成してもよい。この場合には、第１のオーミック電極パッドに対してワイヤリングを行う必要がないため、組み立て工程を簡略化できる。
【００６５】
各実施形態において、第１のゲート電極１７及び第２のゲート電極１８をＮｉとＡｕとの積層膜とすることにより、バリア層２５とショットキー接合を形成する例を示した。しかし、ゲートインジェクショントランジスタ（Gate Injection Transistor：ＧＩＴ）構造としてもよい。この場合には、バリア層２５と第１のゲート電極１７及び第２のゲート電極１８との間にＡｌＧａＮ又はＧａＮからなるｐ型の半導体層を形成し、第１のゲート電極１７及び第２のゲート電極１８がｐ型の半導体層とオーミック接合を形成するようにすればよい。このような構成とすれば、ノーマリオフ特性と低オン抵抗を容易に実現できる。また、ノーマリオフ特性と低オン抵抗は、ショットキー接合又は金属−絶縁膜−半導体（Metal-Insulator-Semiconductor：ＭＩＳ）構造等を用いてを実現してもよい。
【００６６】
各実施形態において、半導体層をＳｉ基板の上に形成する例を示したが、ＳｉＣ、サファイア又はＧａＮ等の他の基板の上に形成してもよい。
【００６７】
各実施形態において、双方向スイッチをＧａＮに代表される窒化物半導体により形成した例を示した。しかし、ワイドバンドギャップ半導体のＳｉＣを用いてもよい。また、高周波デバイスでよく用いられるＧａＡｓに代表される砒素系半導体を用いてもよい。
【産業上の利用可能性】
【００６８】
本発明に係る双方向スイッチでは、１つの単位セルに含まれる第１のゲート電極と第２のゲート電極との間の配線抵抗の差が小さく、スイッチングロスを低減した双方向スイッチを実現でき、ワイドバンドギャップ半導体を用いたダブルゲート構造の双方向スイッチ等として有用である。
【図面の簡単な説明】
【００６９】
【図１】（ａ）及び（ｂ）は本発明の第１の実施形態に係る双方向スイッチを示し、（ａ）は平面図であり、（ｂ）は（ａ）のＩｂ−Ｉｂ線における断面図である。
【図２】本発明の第１の実施形態に係る双方向スイッチにおける第１のゲート電極パッドと第１の引き出し配線との接続部分を拡大して示す断面図である。
【図３】本発明の第１の実施形態に係る双方向スイッチにおける第１のゲート電極の配線距離と第２のゲート電極の配線距離との関係を説明するための平面図である。
【図４】本発明の第１の実施形態に係る双方向スイッチの変形例を示す平面図である。
【図５】（ａ）及び（ｂ）は本発明の第１の実施形態に係る双方向スイッチの変形例を示し、（ａ）は平面図であり、（ｂ）は（ａ）のIIIｂ−IIIｂ線における断面図である。
【図６】本発明の第１の実施形態に係る双方向スイッチの変形例を示す平面図である。
【図７】（ａ）及び（ｂ）は本発明の第１の実施形態に係る双方向スイッチの変形例を示し、（ａ）は平面図であり、（ｂ）は（ａ）のＶｂ−Ｖｂ線における断面図である。
【図８】本発明の第２の実施形態に係る双方向スイッチを示す平面図である。
【図９】本発明の第２の実施形態に係る双方向スイッチの変形例を示す平面図である。
【図１０】本発明の第２の実施形態に係る双方向スイッチの変形例を示す平面図である。
【図１１】（ａ）及び（ｂ）は双方向スイッチの電流電圧特性を示すグラフである。
【符号の説明】
【００７０】
１１      単位セル
１５      第１のオーミック電極
１６      第２のオーミック電極
１７      第１のゲート電極
１８      第２のゲート電極
２０      中心線
２１      基板
２２      半導体層
２２Ａ    活性領域
２２Ｂ    高抵抗領域
２３      バッファ層
２４      チャネル層
２５      バリア層
２７      絶縁膜
３１      第１の引き出し配線
３２      第２の引き出し配線
３３      接続部分
３４      接続部分
３６      第３の引き出し配線
３７      接続部分
３８      第４の引き出し配線
３９      接続部分
４１      第１のオーミック電極パッド
４２      第２のオーミック電極パッド
４３      第１のゲート電極パッド
４４      第２のゲート電極パッド
５１      裏面電極
５２      配線金属
【図１】
2010103158.tif 000003
【図２】
2010103158.tif 000004
【図３】
2010103158.tif 000005
【図４】
2010103158.tif 000006
【図５】
2010103158.tif 000007
【図６】
2010103158.tif 000008
【図７】
2010103158.tif 000009
【図８】
2010103158.tif 000010
【図９】
2010103158.tif 000011
【図１０】
2010103158.tif 000012
【図１１】
2010103158.tif 000013